(57)【要約】      （修正有）【課題】回転刃による対象物の切断、研削又は研磨等の作業を中断することなく、回転刃に確実かつ継続的に水を供給しつづけ、回転刃によって発生する塵の飛散を防止することのできる回転刃用防塵ユニットを提供する。【解決手段】カバー５０ｃを備える回転刃５０ｂが、被処理対象物に接触することで飛散する塵を、前記回転刃５０ｂに水を供給することで低減させる回転刃用防塵ユニット１を、前記回転刃５０ｂの側面に当接する吸水体２と前記吸水体２に水を吐出するノズル３と前記カバー５０ｃに連結し前記ノズル３の位置決めをする金具４から構成される装着部１ａと、前記ノズル３に水を送液する送液部１ｂと、からなる構成とした。【選択図】図１
2015160272.tif 000002
【特許請求の範囲】
【請求項１】
カバーを備える回転刃が、被処理対象物に接触することで飛散する塵を、前記回転刃に水を供給することで低減させる回転刃用防塵ユニットであって、
前記回転刃の側面に当接する吸水体と前記吸水体に水を吐出するノズルと前記カバーに連結し前記ノズルの位置決めをする金具から構成される装着部と、
前記ノズルに水を送液する送液部と、
からなることを特徴とする回転刃用防塵ユニット。
【請求項２】
前記ノズルが、前記吸水体に覆われる筒状の本体と、前記本体から分岐した筒状の分岐管と、前記本体に回転可能に取り付けたバルブと、前記バルブに固定され前記分岐管と本体との連通穴を前記バルブの回転に伴い開閉する片と、からなることを特徴とする請求項１に記載の回転刃用防塵ユニット。
【請求項３】
前記金具が、前記カバーに連結するＬ字部と、前記Ｌ字部に前記ノズルの分岐管を固定する連結部と、からなることを特徴とする請求項２に記載の回転刃用防塵ユニット。
【請求項４】
前記装着部が、前記カバーの下端部に連結され、前記金具に、前記回転刃の回転により飛散する水しぶきを当てるプロテクターを備えることを特徴とする請求項１〜請求項３のいずれか１項に記載の回転刃用防塵ユニット。
【請求項５】
穴が穿設されたカバーを備える回転刃が、被処理対象部に接触することで飛散する塵を、前記回転刃に水を供給することで低減させる回転刃用防塵ユニットであって、
前記回転刃の側面に当接する吸水体と、
前記吸水体を収納するケースと、
前記ケースとカバーを連結し前記ケースの位置決めをする金具と、
前記カバーの穴を挿通し前記ケースに接続するホースと、
前記ホースに水を送液する送液部と、
からなることを特徴とする回転刃用防塵ユニット。
【請求項６】
一端が前記金具に回動可能に固定され他端が前記カバーの外側に係止されるＬ字金具と、
前記Ｌ字金具の穴に挿通するとともに前記Ｌ字金具の底面に位置しかつ前記カバーの内側に係止される突起と、前記突起を前記Ｌ字金具に固定するネジと、からなることを特徴とするストッパを備えることを特徴とする請求項１〜請求項５のいずれか１項に記載の回転刃用防塵ユニット。
【請求項７】
前記送液部が、前記ノズルに接続するホースと前記ホースに水を送液するポンプからなり、
前記ポンプが浸る水を貯溜した容器と、前記容器の開口に係止され、前記回転刃を備えるハンディーグラインダの不使用時に載置する穴あき蓋と、を備えることを特徴とする請求項１〜請求項６のいずれか１項に記載の回転刃用防塵ユニット。
【請求項８】
前記ホースと、前記ハンディーグラインダのコードを結束帯で束ねたことを特徴とする請求項７に記載の回転刃用防塵ユニット。
【請求項９】
カバーを備える据え置き型の丸鋸の回転刃が被処理対象部に接触することで飛散する塵を、前記回転刃に水を供給することで低減させる回転刃用防塵ユニットであって、
前記回転刃の側面に当接する吸水体と、
前記吸水体に水を吐出するノズルと、
前記カバーに連結し前記ノズルの位置決めをするコの字部を備える金具と、
前記ノズルに接続する水を送液する送液部と、
からなることを特徴とする回転刃用防塵ユニット。
【請求項１０】
前記金具と前記カバーとの連結が、磁石によることを特徴とする請求項１〜請求項４、請求項６〜請求項９のいずれか１項に記載の回転刃用防塵ユニット。
【請求項１１】
前記金具にネジを備え、前記ネジを締め付けて、前記装着部を強固に前記カバーに固定することを特徴とする請求項１〜請求項４、請求項６〜請求項１０のいずれか１項に記載の回転刃用防塵ユニット。
【請求項１２】
前記吸水体が、スポンジであって、穴を備え、前記穴にノズルを挿通して前記ノズルに固定されることを特徴とする請求項１〜請求項１１のいずれか１項に記載の回転刃用防塵ユニット。
【発明の詳細な説明】
【技術分野】
【０００１】
本発明は、コンクリート、石、金属、木材、塩化ビニルなどのプラスチック等の対象物を切断、研削又は研磨等する回転刃を回転させ、対象物に当接したときの粉塵を水で低減させる、回転刃用防塵ユニットに関する。
【背景技術】
【０００２】
回転刃による、切断、研削又は研磨等において、粉塵を低減させる技術として、特許文献１の考案が公開されている。特許文献１の考案は、コンクリート等の切断に用いるグラインダに装着して、粉塵の飛散を防止し、かつ集塵も効果的に行うことができる装置であって、グラインダ１の回転刃３に沿って設けられた防護部材４に着脱自在に取り付けられる多孔質吸水性カバー１０と、前記防護部材４の後端附近に着脱自在に取り付けられる多孔質吸水性フード２０からなる防塵装置である。
【０００３】
特許文献１の段落００１２には、「前記カバー１０は、図３及び図４に示すように、前記面ファスナ５に対応して係合する面ファスナ１１を有するわん曲した係止部１２と、この上端から回転刃３を被うように突き出したほぼ三日月型のひさし部１３から成る。このひさし部１３は、スポンジ、綿（わた）等の多孔質で吸水性のある材料によって形成するのが好ましい。また、係止部１２の先端にフラップ１４を設け、このフラップ１４の中間にスリット１５を設けて、回転刃３がこのスリット１５を通って回転するようにしておけば、防塵効果がより向上する。このフラップ１４もスポンジ等の多孔質吸水性材料で形成するのがよい。」とある。
【０００４】
また、段落００１７には、「上記のような防塵装置を用いる場合には、ひさし部１３や集塵袋２２に水を含浸させておけば防塵・集塵効果が向上する。」とある。
【０００５】
すなわち、引用文献１のグラインダの防塵装置は、多孔質吸水性カバーで、回転刃を覆い、かつ多孔質吸水性フードで粉塵を回収するというものであり、必用に応じて水を含浸させるものである。
【０００６】
しかしながら、引用文献１のグラインダの防塵装置では、多孔質吸水性カバーに水を含浸させたとしても、作業の進行とともに、回転刃の回転により含浸された水は吹き飛ばされ、十分な粉塵防止効果を発揮せず、維持することができない。防塵効果を維持するためには、時折切断、研削又は研磨等作業を中断し、多孔質吸水性カバーへの含水作業を行わなければならず、煩雑でかつ非効率的であった。
【先行技術文献】
【特許文献】
【０００７】
【特許文献１】実開平５−８５５４５号公報
【発明の概要】
【発明が解決しようとする課題】
【０００８】
そこで、本発明は、回転刃による対象物の切断、研削又は研磨等の作業を中断することなく、回転刃に確実かつ継続的に水を供給しつづけ、回転刃によって発生する塵の飛散を防止することのできる回転刃用防塵ユニットを提供することを目的とする。
【課題を解決するための手段】
【０００９】
本発明は、上記課題を解決するため、
（１）
カバーを備える回転刃が、被処理対象物に接触することで飛散する塵を、前記回転刃に水を供給することで低減させる回転刃用防塵ユニットであって、
前記回転刃の側面に当接する吸水体と前記吸水体に水を吐出するノズルと前記カバーに連結し前記ノズルの位置決めをする金具から構成される装着部と、
前記ノズルに水を送液する送液部と、からなることを特徴とする回転刃用防塵ユニット。
（２）
前記ノズルが、前記吸水体に覆われる筒状の本体と、前記本体から分岐した筒状の分岐管と、前記本体に回転可能に取り付けたバルブと、前記バルブに固定され前記分岐管と本体との連通穴を前記バルブの回転に伴い開閉する片と、からなることを特徴とする（１）に記載の回転刃用防塵ユニット。
（３）
前記金具が、前記カバーに連結するＬ字部と、前記Ｌ字部に前記ノズルの分岐管を固定する連結部と、からなることを特徴とする（２）に記載の回転刃用防塵ユニット。
（４）
前記装着部が、前記カバーの下端部に連結され、前記金具に、前記回転刃の回転により飛散する水しぶきを当てるプロテクターを備えることを特徴とする（１）〜（３）のいずれかに記載の回転刃用防塵ユニット。
（５）
穴が穿設されたカバーを備える回転刃が、被処理対象部に接触することで飛散する塵を、前記回転刃に水を供給することで低減させる回転刃用防塵ユニットであって、
前記回転刃の側面に当接する吸水体と、
前記吸水体を収納するケースと、
前記ケースとカバーを連結し前記ケースの位置決めをする金具と、
前記カバーの穴を挿通し前記ケースに接続するホースと、
前記ホースに水を送液する送液部と、
からなることを特徴とする回転刃用防塵ユニット。
（６）
一端が前記金具に回動可能に固定され他端が前記カバーの外側に係止されるＬ字金具と、前記Ｌ字金具の穴に挿通するとともに前記Ｌ字金具の底面に位置しかつ前記カバーの内側に係止される突起と、前記突起を前記Ｌ字金具に固定するネジと、からなることを特徴とするストッパを備えることを特徴とする（１）〜（５）のいずれかに記載の回転刃用防塵ユニット。
（７）
前記送液部が、前記ノズルに接続するホースと前記ホースに水を送液するポンプからなり、
前記ポンプが浸る水を貯溜した容器と、前記容器の開口に係止され、前記回転刃を備えるハンディーグラインダの不使用時に載置する穴あき蓋と、を備えることを特徴とする（１）〜（６）のいずれかに記載の回転刃用防塵ユニット。
（８）
前記ホースと、前記ハンディーグラインダのコードを結束帯で束ねたことを特徴とする（７）に記載の回転刃用防塵ユニット。
（９）
カバーを備える据え置き型の丸鋸の回転刃が被処理対象部に接触することで飛散する塵を、前記回転刃に水を供給することで低減させる回転刃用防塵ユニットであって、
前記回転刃の側面に当接する吸水体と、
前記吸水体に水を吐出するノズルと、
前記カバーに連結し前記ノズルの位置決めをするコの字部を備える金具と、
前記ノズルに接続する水を送液する送液部と、
からなることを特徴とする回転刃用防塵ユニット。
（１０）
前記金具と前記カバーとの連結が、磁石によることを特徴とする（１）〜（４）、（６）〜（９）のいずれかに記載の回転刃用防塵ユニット。
（１１）
前記金具にネジを備え、前記ネジを締め付けて、前記装着部を強固に前記カバーに固定することを特徴とする（１）〜（４）、（６）〜（１０）のいずれかに記載の回転刃用防塵ユニット。
（１２）
前記吸水体が、スポンジであって、穴を備え、前記穴にノズルを挿通して前記ノズルに固定されることを特徴とする（１）〜（１１）のいずれかに記載の回転刃用防塵ユニット。
【発明の効果】
【００１０】
本発明は、上記構成であるので、対象物の切断、研削又は研磨等の作業を中断することなく、回転刃に確実かつ継続的に水を供給しつづけ、回転刃によって発生する塵の飛散を防止することができる。また、対象物の切断、研削、研磨において、回転刃に本発明を用いることで、水で粉塵を減らすことができるため、粉塵吸引による作業者の健康被害を減らすことができる。
【図面の簡単な説明】
【００１１】
【図１】本発明である回転刃用防塵ユニットの第一の実施形態の使用状態の一例の斜視図である。
【図２】本発明である回転刃用防塵ユニットの第一の実施形態の装着状態の正面図である。
【図３】本発明である回転刃用防塵ユニットの第一の実施形態の平面図である。
【図４】本発明である回転刃用防塵ユニットの第一の実施形態の装着状態の図３Ａ−Ａ’位置での断面図である。なお、ノズルは断面としていない。
【図５】本発明である回転刃用防塵ユニットの第二の実施形態の使用状態の一例の斜視図である。
【図６】本発明である回転刃用防塵ユニットの第二の実施形態の装着状態の正面図である。
【図７】本発明である回転刃用防塵ユニットの装着部の第二実施形態の正面図（Ａ）、背面図（Ｂ）である。
【図８】本発明である回転刃用防塵ユニットの第三の実施形態の使用状態の一例の斜視図である。
【図９】本発明である回転刃用防塵ユニットの第四の実施形態の斜視図である。
【図１０】本発明である回転刃用防塵ユニットの第四の実施形態の使用状態の一例の斜視図である。
【図１１】本発明である回転刃用防塵ユニットの第五の実施形態の使用時（Ａ）、不使用時（Ｂ）の模式図である。
【図１２】本発明である回転刃用防塵ユニットの第六の実施形態の使用状態の一例の斜視図である。
【発明を実施するための形態】
【００１２】
以下、図面に基づき本発明について詳細に説明する。なお、本発明は下記実施例に限定されるものではない。
【実施例１】
【００１３】
図１〜図４に示すように、本発明の第一の実施形態である回転刃用防塵ユニット１は、一部外周をカバー５０ｃで覆われた回転刃５０ｂを備えるハンディータイプのグラインダ５０のカバー５０ｃに装着して使用されるものあって、カバー５０ｃに着脱可能に装着される装着部１ａと、装着部１ａに水を供給する送液部１ｂからなり、回転刃５０ｂが被処理対象物に接触することで飛散する塵を、回転刃５０ｂに水を供給することで低減させる。
【００１４】
なお、グラインダ５０は、回転刃５０ｂを回転させるモータを内蔵するとともに手によって把持される本体５０ａと、本体５０ａのモータに電気的に接続するコード５０ｄと、コード５０ｄの端部に備えられる電源に接続するプラグ５０ｅと、からなり、一般に市場に流通している既存のグラインダ（サンダーなどと呼ばれることもある）を用いることができる。電源は、商用電源の他、バッテリ、発電機を用いることができる。また、エンジン式のグラインダであれば、モータ、コード５０ｄを備えず、電源も不要である。エンジン式のグラインダにも、本発明は適用できる。
【００１５】
装着部１ａは、スポンジ２と、ノズル３と、金具４と、磁石７とからなる。送液部１ｂは、ホース５と、ポンプ６とからなる。
【００１６】
スポンジ２は、穴２ａが穿設され、穴２ａにノズル３を挿通して、ノズル３に固定され、回転刃５０ｂの側面に当接する。少なくとも、回転刃５０ｂの側面の一部、刃部周辺に当接すればよい。スポンジ２を採用することなく、単に、水を回転刃５０ｂに噴射、供給するだけでは、回転刃５０ｂの回転により噴射、供給された水ははじき飛ばされ、回転刃５０ｂ十分に濡らすことができず、粉塵と水の共存物をなすことができず、粉塵の飛散効果が高くない。
【００１７】
スポンジ２は、多孔質で、吸水性素材であれば、特に、名称、素材は限定されない。例えば、布なども採用でき、各種素材を組み合わせることもできる。ここでは、形状をドーナツ型としたがその形状も限定されるものではない。スポンジ２とノズル３の固定方式は、ここに示した穴嵌着方式でも、さらにノズル３の外周に係止突起などを設けて、スポンジ２を回転刃５０ｂの回転で吹き飛ばされないよう固定する方式、さらにスポンジ２の外周にリングを嵌め、ノズル３に結束、係止してもよい。
【００１８】
ノズル３は、図２、４に示すように、スポンジ２に覆われた筒状の本体３ａと、本体３ａから分岐した筒状の分岐管３ｂと、本体３ａ内部の形状に沿った形（長手方向に直交する位置の断面Ｃ型）の片３ｄを設け本体３ａに回転可能に取り付けられたバルブ３ｃとからなり、水を本体３ａの先端から吐出する。吐出された水は、スポンジ２に吸収されるとともに、回転刃５０ｂを濡らす。
【００１９】
図４に示すように、本体３ａと分岐管３ｂには連通穴３ｅが形設されている。バルブ３ｃに固定され、バルブ３ｃの回転に伴い開閉する片３ｄで、穴３ｅを開閉することができる。それにより、ノズル３への送水量を調節することができる。なお、バルブ３ｃは、ノズル３に備えることなく、ホース５など、別の部品に設けてもよい。結束帯５ａの機能を備えたバルブであってもよい。また、バルブ３ｃを備えることなく、ポンプの駆動、蛇口の栓の開閉度などによって送水量を調節してもよい。
【００２０】
金具４は、Ｌ字部４ａと、連結部４ｂと、留具４ｃからなり、カバー５０ｃに磁石７を介して連結し、ノズル３の位置決めをする。なお、穴４ｅは、後述のストッパ４２を連結するために用いることができる。
【００２１】
Ｌ字部４ａは、カバー５０ｃの上部に位置する平坦部と、平坦部から屈曲し回転刃５０ｂの側面と平行な垂下部とからなる。平坦部のカバー５０ｃ側面に磁石７が留具４ｃで固定され、磁石７を介してカバー５０ｃの上部に平坦部が位置固定される。
【００２２】
連結部４ｂは、薄い板を湾曲させて環状にし、環内部に分岐管３ｂが挿入され、留具４ｄで分岐管が固定される。また、環状でない部分で、連結部４ｂは、Ｌ字部４ａの垂下部に留具４ｃで固定される。この結果、ノズル３が金具４に係止され、さらに金具４が磁石７を介して、カバー５０ｃに連結し、回転刃用防塵ユニット１の装着部１ｂは、カバー５０ｃにノズル３の位置が決められ、装着される。ここでは、金具４と連結部４ｂを別体としたが、ノズル３の位置決めができ、金具４をカバー５０ｃに固定できれば、他の形態としてもよく、さらに一体としてもよい。
【００２３】
磁石７は、金具４のＬ字部４ａのカバー５０ｃ側に留具７ａで固定され、磁石７ｃの磁力により、鉄製等のグラインダ５０のカバー５０ｃに吸着し、金具４をカバー５０ｃの外側に固定、連結し、回転刃用防塵ユニット１をカバー５０ｃに着脱可能に装着することができる。ここでは、磁石７に穴を穿設し、ネジ及びナットからなる留具７ａでＬ字部４ａに固定した。磁石７がネオジウム磁石であれば、グラインダ５０作業においても、回転刃用防塵ユニット１を安定的にカバー５０ｃに装着することができる。
【００２４】
ホース５は、一端が分岐管３ｂに接続し、他端にはポンプ６を備える。図１に示すように、ホース５は、グラインダ５０のコード５０ｄと、プラスチックバンド、ゴム、紐、プラスチック製或いは金属製のクリップなどの結束帯５ａでひとまとまりに束ねるとよい。ホース５、コード５０ｄが邪魔にならず、作業性がよくなる。
【００２５】
ポンプ６は、水をホース５（ノズル３）に連続供給する。ここでは、ポンプ６の電源について図示を省略した。ポンプ６は、グラインダ５０と同様、商用電源、バッテリ、発電機、ソーラーパネルに接続され、駆動する。
【００２６】
ポンプ６にオンオフスイッチがなくともよい。また、グラインダ５０（回転刃５０ｂ）のオンオフ、グラインダ５０の載置、に連動して、ポンプ６のオンオフを制御してもよい。それらに連動して、ポンプ６がオンオフすれば節水になる。ホース５をポンプ６に接続する代わりに、水道水の蛇口に接続し、水をノズル３に連続供給してもよい。蛇口の栓の開閉度によって送水量を調節することもできる。
【００２７】
送液された水は、ホース５から、分岐管３ｂ、本体３ａを通り、ノズル３から回転刃５０ｂ及びスポンジ２に吐出される。水は、回転刃５０ｂにより発生する粉塵の共存物となり、粉塵の飛散を防止する。
【実施例２】
【００２８】
次に、本発明の第二の実施形態について説明する。図５〜図７に示すように、回転刃用防塵ユニット１１は、カバー５０ｃの下端部に装着される装着部１１ａと、送液部１ｂからなる。装着部１１ａは、スポンジ２と、ノズル３と、金具１４と、プロテクター１２とからなる。以下、実施例１と同一の符号名称は、同一の構成、作用を示すため、その説明を省略する。
【００２９】
金具１４は、ノズル３の分岐管３ｂを固定する連結部４ｂと、連結部４ｂを固定する起立部１６ｃを備えるＬ字のプレート１６と、起立部１６ｃに留具１６ｂによって固定されるＬ字部４ａと、Ｌ字部４ａに留具７ａによって固定される第二Ｌ字部１５と、第二Ｌ字部１５の穴１５ａに螺合するネジ１３と、からなる。磁石７はＬ字部４ａに備えられ、装着部１１ａは、磁石７を介してカバー５０ｃの下端部の外側に装着される。なお、金具１４は、ここでは、各パーツに分断したものを掲載したが、ネジ１３を除き、一体に成形してもよい。勿論、プラスチック製であってもよい。また、連結部４ｂのみ別体としてもよい。  
【００３０】
プロテクター１２は、ゴムシート状などで、端部が金具１４のプレート１６の起立部１６ｃから水平に屈曲した平坦部に留具１６ａで固定され、他端は下方に垂れ下がり、回転刃５０ｂの回転により飛散する水しぶきを当て、作業者、作業場所周辺の汚れを低減させる。
【００３１】
図６に示すように、ネジ１３を備え、ネジ１３にて締め付けることで、Ｌ字部４ａ或いは起立部１６ｃとで、装着部１１ａを強固にカバー５０ｃに固定することができる。ネジ１３を備えた場合には、磁石７は、装着部１１ａの固定維持としてではなく、装着部１１ａの装着段階、ネジ１３の締め付け作業時の仮留めとなり、１人でも簡単に装着部１１ａをネジ１３によって装着作業ができることとなる。
【実施例３】
【００３２】
次に、本発明の第三の実施形態について説明する。図８に示すように、回転刃用防塵ユニット２１は、装着部２１ａと、送液部２１ｂからなる。
【００３３】
装着部２１ａは、スポンジ２と、ケース２２と、金具２４とからなる。送液部２１ｂは、ホース５とポンプ６とからなり、一部外周をカバー５１ｃで覆われた回転刃５０ｂを備えるハンディータイプのグラインダ５１に装着して使用される。
【００３４】
グラインダ５１は、実施例１のカバー５０ｃの上部に穴５１ｄを穿設したものである。穴５１ｄにホース５を挿通させる。
【００３５】
ケース２２は、回転刃５０ｂに当接する側の面が開口し、反回転刃５０ｂ側に穴２２ａが穿設され、内部にスポンジ２を収納する。スポンジ２は、回転刃５０ｂに当接する側が、一部ケース２２から突出している。穴２２ａには、ホース５が挿通、固定される。
【００３６】
金具２４は、ここでは、カバー５１ｃに固定される留具２４ａと、ケース２２に固定される固定部２４ｂと、それらを繋ぐ棒体２４ｃとかなり、ケース２２とカバー５１ｃを連結し、ケース２２の位置決めをする。
【実施例４】
【００３７】
次に、本発明の第四の実施形態について説明する。図９〜図１０に示すように、回転刃用防塵ユニット３１は、一部外周をカバー６０ｃで覆われた回転刃６０ｂを備える据え置き型丸鋸６０のカバー６０ｃに装着して使用されるものであって、カバー６０ｃに着脱可能に装着される装着部３１ａと、装着部３１ａに水を供給する送液部１ｂとかなり、回転刃６０ｂが被処理対象物に接触することで飛散する塵を、回転刃６０ｂに水を供給することで低減させる。
【００３８】
なお、据え置き型丸鋸６０は、台６０ａに回転可能に備えられるモータ６０ｄによって回転する回転刃６０ｂ、回転刃６０ｂの上半分を覆うカバー６０ｃ、回転刃６０ｂ、モータ６０ｄ、カバー６０ｃを上下回動するときに、掴む取っ手６０ｅを備える。本発明は、この形態に限らず、磁石７を吸着させるカバー６０ｃ、回転刃６０ｂを備える丸鋸に用いることができる。なお、カバー６０ｃが磁石７を吸着することができない場合には、後述のネジ３５のみによって装着部３１ａをカバー６０ｃに固定すればよい。
【００３９】
装着部３１ａは、スポンジ２と、ノズル３３と、金具３４とからなる。
【００４０】
ノズル３３は、Ｌ字管状の本体３３ａと、本体３３ａから分岐した分岐管３３ｂと、バルブ３ｃに相当するバルブ３３ｃからなり、回転刃６０ｂ側の本体３３ａの外周にスポンジ２が配置される。分岐管３３ｂにホース５が接続し、ポンプ６によって、水がノズル３３に供給される。
【００４１】
金具３４は、コの字部３４ａと、ノズル３３の本体３３ａを中に位置させ、留具４ｄで固定する環状の連結部３４ｂと、ネジ３５と、からなる。
【００４２】
コの字部３４ａは、図９に示すように、連結部３４ｂに留具３４ｃで固定され、一方の起立部にネジ３５を、他方の起立部に磁石７が留具７ａで固定されている。
【００４３】
このようにしてなる金具３４を、図１０に示すように、磁石７を配置した起立部がカバー６０ｃ内側に位置した上で、ネジ３５で締め付け、金具１４をカバー６０ｃに固定する。これにより、ノズル３３の位置決めができる。
【実施例５】
【００４４】
次に、本発明の第五の実施形態について説明する。図１１に示すように、本実施形態は、水１０を循環使用することができる形態であって、回転刃用防塵ユニット１と、容器８と、蓋９からなる。
【００４５】
容器８は、内部に水１０を貯溜し、水１０にポンプ６が位置する。ポンプ６は、水１０を吸引し、ホース５を介してノズル３に送液する。
【００４６】
蓋９は、容器８の上部の開口に係止され、回転刃５０ｂを備えるハンディーグラインダ５０の不使用時に載置する板或いは網状で、穴９ａが穿設されている。図１１（Ｂ）に示すように、グラインダ５０を使用しないとき、蓋９にグラインダ５０を載置すれば、ポンプ６の駆動を止めることなく、水１０がノズル３と容器８内を循環し、節水でき、水１０の容器８への補充回数を低減することができる。
【実施例６】
【００４７】
次に、本発明の第六の実施形態について説明する。図１２に示すように、回転刃用防塵ユニット４１は、装着部４１ａと、送液部１ｂからなるもので、回転刃用防塵ユニット１１の金具１４が金具４４に置換し、さらにストッパ４２を備えるものである。
【００４８】
金具４４は、金具１４の連結部３４ｂが連結部４３に置換され、連結部４３の穴にノズル３の本体３ａを挿通させている。連結部４３は、留具４３ａで起立部１６ｃに回動可能に固定される。分岐管３ｂは、上向きに位置し、ホース５が本体５０ａに沿って配置させることができ、実施例２に比べ、作業性が一層高まる。
【００４９】
ストッパ４２は、Ｌ字金具４２ａと、突起４２ｃと、ネジ４２ｂからなる。Ｌ字金具４２ａは、一端が金具１４の起立部１６ｃに回動可能に固定され、他端がカバー５０ｃの外側に係止される。
【００５０】
突起４２ｃは、Ｌ字金具４２ａに穿設した穴に挿通するとともに、Ｌ字金具４２ａの底面に位置し、かつカバー５０ｃの内側に係止される。ネジ４２ｂは、突起４２ｃをＬ字金具４２ａに固定する。
【００５１】
回転刃用防塵ユニット４１に、ストッパ４２を備えることで、装着部４１ａの回転、位置移動を防ぎ、ノズル３を位置決めされた所定の位置に位置させることができる。また、Ｌ字金具４２ａが回転可能に、金具１４に固定されるため、メーカー、型番ごとに、カバー５０ｃのサイズが異なっても、確実にノズル３の位置決め、その位置を維持することができる。
【符号の説明】
【００５２】
１      回転刃用防塵ユニット
１ａ    装着部
１ｂ    送液部
２      スポンジ
２ａ    穴
３      ノズル
３ａ    本体
３ｂ    分岐管
３ｃ    バルブ
３ｄ    片
３ｅ    穴
４      金具
４ａ    Ｌ字部
４ｂ    連結部
４ｃ    留具
４ｄ    留具
４ｅ    穴
５      ホース
５ａ    結束帯
６      ポンプ
７      磁石
７ａ    留具
８      容器
９      蓋
９ａ    穴
１０    水
１１    回転刃用防塵ユニット
１１ａ  装着部
１２    プロテクター
１３    ネジ
１４    金具
１５    第二Ｌ字部
１５ａ  穴
１６    プレート
１６ａ  留具
１６ｂ  留具
１６ｃ  起立部
２１    回転刃用防塵ユニット
２１ａ  装着部
２１ｂ  送液部
２２    ケース
２２ａ  穴
２４    金具
２４ａ  留具
２４ｂ  固定部
２４ｃ  棒体
３１    回転刃用防塵ユニット
３１ａ  装着部
３３    ノズル
３３ａ  本体
３３ｂ  分岐管
３３ｃ  バルブ
３４    金具
３４ａ  コの字部
３４ｂ  連結部
３４ｃ  留具
３５    ネジ
４１    回転刃用防塵ユニット
４１ａ  装着部
４２    ストッパ
４２ａ  Ｌ字金具
４２ｂ  ネジ
４２ｃ  突起
４３    連結部
４４    金具
５０    グラインダ
５０ａ  本体
５０ｂ  回転刃
５０ｃ  カバー
５０ｄ  コード
５０ｅ  プラグ
５１    グラインダ
５１ｃ  カバー
５１ｄ  穴
６０    据え置き型丸鋸
６０ａ  台
６０ｂ  回転刃
６０ｃ  カバー
６０ｄ  モータ
６０ｅ  取っ手
【図１】
2015160272.tif 000003
【図２】
2015160272.tif 000004
【図３】
2015160272.tif 000005
【図４】
2015160272.tif 000006
【図５】
2015160272.tif 000007
【図６】
2015160272.tif 000008
【図７】
2015160272.tif 000009
【図８】
2015160272.tif 000010
【図９】
2015160272.tif 000011
【図１０】
2015160272.tif 000012
【図１１】
2015160272.tif 000013
【図１２】
2015160272.tif 000014
【手続補正書】
【提出日】平成26年4月8日(2014.4.8)
【手続補正１】
【補正対象書類名】特許請求の範囲
【補正対象項目名】全文
【補正方法】変更
【補正の内容】
【特許請求の範囲】
【請求項１】
カバーを備える回転刃が、被処理対象物に接触することで飛散する塵を、前記回転刃に水を供給することで低減させる回転刃用防塵ユニットであって、
前記回転刃の側面に当接する吸水体と前記吸水体に水を吐出するノズルと前記カバーに連結し前記ノズルの位置決めをする金具から構成される装着部と、
前記ノズルに水を送液する送液部と、
からなることを特徴とする回転刃用防塵ユニット。
【請求項２】
前記ノズルが、前記吸水体に覆われる筒状の本体と、前記本体から分岐した筒状の分岐管と、前記本体に回転可能に取り付けたバルブと、前記バルブに固定され前記分岐管と本体との連通穴を前記バルブの回転に伴い開閉する片と、からなることを特徴とする請求項１に記載の回転刃用防塵ユニット。
【請求項３】
前記金具が、前記カバーに連結するＬ字部と、前記Ｌ字部に前記ノズルの分岐管を固定する連結部と、からなることを特徴とする請求項２に記載の回転刃用防塵ユニット。
【請求項４】
前記装着部が、前記カバーの下端部に連結され、前記金具に、前記回転刃の回転により飛散する水しぶきを当てるプロテクターを備えることを特徴とする請求項１〜請求項３のいずれか１項に記載の回転刃用防塵ユニット。
【請求項５】
穴が穿設されたカバーを備える回転刃が、被処理対象部に接触することで飛散する塵を、前記回転刃に水を供給することで低減させる回転刃用防塵ユニットであって、
前記回転刃の側面に当接する吸水体と、
前記吸水体を収納するケースと、
前記ケースとカバーを連結し前記ケースの位置決めをする金具と、
前記カバーの穴を挿通し前記ケースに接続するホースと、
前記ホースに水を送液する送液部と、
からなることを特徴とする回転刃用防塵ユニット。
【請求項６】
一端が前記金具に回動可能に固定され他端が前記カバーの外側に係止されるＬ字金具と、
前記Ｌ字金具の穴に挿通するとともに前記Ｌ字金具の底面に位置しかつ前記カバーの内側に係止される突起と、前記突起を前記Ｌ字金具に固定するネジと、からなることを特徴とするストッパを備えることを特徴とする請求項１〜請求項５のいずれか１項に記載の回転刃用防塵ユニット。
【請求項７】
前記送液部が、前記ノズルに接続するホースと前記ホースに水を送液するポンプからなり、
前記ポンプが浸る水を貯溜した容器と、前記容器の開口に係止され、前記回転刃を備えるハンディーグラインダの不使用時に載置する穴あき蓋と、を備えることを特徴とする請求項１〜請求項６のいずれか１項に記載の回転刃用防塵ユニット。
【請求項８】
前記ホースと、前記ハンディーグラインダのコードを結束帯で束ねたことを特徴とする請求項７に記載の回転刃用防塵ユニット。
【請求項９】
カバーを備える据え置き型の丸鋸の回転刃が被処理対象部に接触することで飛散する塵を、前記回転刃に水を供給することで低減させる回転刃用防塵ユニットであって、
前記回転刃の側面に当接する吸水体と、
前記吸水体に水を吐出するノズルと、
前記カバーに連結し前記ノズルの位置決めをするコの字部を備える金具と、
前記ノズルに接続する水を送液する送液部と、
からなることを特徴とする回転刃用防塵ユニット。
【請求項１０】
前記金具と前記カバーとの連結が、磁石によることを特徴とする請求項１〜請求項４、請求項６〜請求項９のいずれか１項に記載の回転刃用防塵ユニット。
【請求項１１】
前記金具にネジを備え、前記ネジを締め付けて、前記装着部を強固に前記カバーに固定することを特徴とする請求項１〜請求項４、請求項６〜請求項１０のいずれか１項に記載の回転刃用防塵ユニット。
【請求項１２】
前記吸水体が、スポンジであって、穴を備え、前記穴にノズルを挿通して前記ノズルに固定されることを特徴とする請求項１〜請求項１１のいずれか１項に記載の。
【請求項１３】
カバーを備えた回転刃で被処理対象物を切断する際の粉塵を低減させるための前記回転刃に水を供給するノズルを、前記カバーに位置決めして固定する固定具であって、
前記カバーを挟み前記カバーにネジ留めされるとともに前記ノズルを備えるコの字留具と、一端が前記コの字留具に回動可能に固定され他端が前記カバーの外側に係止されるＬ字留具と、前記Ｌ字留具の穴に挿通するとともに前記Ｌ字留具の底面に位置しかつ前記カバーの内側に係止される突起と、前記突起を前記Ｌ字留具に固定するネジと、からなることを特徴とするノズル固定具。
【手続補正２】
【補正対象書類名】明細書
【補正対象項目名】０００９
【補正方法】変更
【補正の内容】
【０００９】
本発明は、上記課題を解決するため、
（１）
カバーを備える回転刃が、被処理対象物に接触することで飛散する塵を、前記回転刃に水を供給することで低減させる回転刃用防塵ユニットであって、
前記回転刃の側面に当接する吸水体と前記吸水体に水を吐出するノズルと前記カバーに連結し前記ノズルの位置決めをする金具から構成される装着部と、
前記ノズルに水を送液する送液部と、からなることを特徴とする回転刃用防塵ユニット。
（２）
前記ノズルが、前記吸水体に覆われる筒状の本体と、前記本体から分岐した筒状の分岐管と、前記本体に回転可能に取り付けたバルブと、前記バルブに固定され前記分岐管と本体との連通穴を前記バルブの回転に伴い開閉する片と、からなることを特徴とする（１）に記載の回転刃用防塵ユニット。
（３）
前記金具が、前記カバーに連結するＬ字部と、前記Ｌ字部に前記ノズルの分岐管を固定する連結部と、からなることを特徴とする（２）に記載の回転刃用防塵ユニット。
（４）
前記装着部が、前記カバーの下端部に連結され、前記金具に、前記回転刃の回転により飛散する水しぶきを当てるプロテクターを備えることを特徴とする（１）〜（３）のいずれかに記載の回転刃用防塵ユニット。
（５）
穴が穿設されたカバーを備える回転刃が、被処理対象部に接触することで飛散する塵を、前記回転刃に水を供給することで低減させる回転刃用防塵ユニットであって、
前記回転刃の側面に当接する吸水体と、
前記吸水体を収納するケースと、
前記ケースとカバーを連結し前記ケースの位置決めをする金具と、
前記カバーの穴を挿通し前記ケースに接続するホースと、
前記ホースに水を送液する送液部と、
からなることを特徴とする回転刃用防塵ユニット。
（６）
一端が前記金具に回動可能に固定され他端が前記カバーの外側に係止されるＬ字金具と、前記Ｌ字金具の穴に挿通するとともに前記Ｌ字金具の底面に位置しかつ前記カバーの内側に係止される突起と、前記突起を前記Ｌ字金具に固定するネジと、からなることを特徴とするストッパを備えることを特徴とする（１）〜（５）のいずれかに記載の回転刃用防塵ユニット。
（７）
前記送液部が、前記ノズルに接続するホースと前記ホースに水を送液するポンプからなり、
前記ポンプが浸る水を貯溜した容器と、前記容器の開口に係止され、前記回転刃を備えるハンディーグラインダの不使用時に載置する穴あき蓋と、を備えることを特徴とする（１）〜（６）のいずれかに記載の回転刃用防塵ユニット。
（８）
前記ホースと、前記ハンディーグラインダのコードを結束帯で束ねたことを特徴とする（７）に記載の回転刃用防塵ユニット。
（９）
カバーを備える据え置き型の丸鋸の回転刃が被処理対象部に接触することで飛散する塵を、前記回転刃に水を供給することで低減させる回転刃用防塵ユニットであって、
前記回転刃の側面に当接する吸水体と、
前記吸水体に水を吐出するノズルと、
前記カバーに連結し前記ノズルの位置決めをするコの字部を備える金具と、
前記ノズルに接続する水を送液する送液部と、
からなることを特徴とする回転刃用防塵ユニット。
（１０）
前記金具と前記カバーとの連結が、磁石によることを特徴とする（１）〜（４）、（６）〜（９）のいずれかに記載の回転刃用防塵ユニット。
（１１）
前記金具にネジを備え、前記ネジを締め付けて、前記装着部を強固に前記カバーに固定することを特徴とする（１）〜（４）、（６）〜（１０）のいずれかに記載の回転刃用防塵ユニット。
（１２）
前記吸水体が、スポンジであって、穴を備え、前記穴にノズルを挿通して前記ノズルに固定されることを特徴とする（１）〜（１１）のいずれかに記載の回転刃用防塵ユニット。
（１３）
カバーを備えた回転刃で被処理対象物を切断する際の粉塵を低減させるための前記回転刃に水を供給するノズルを、前記カバーに位置決めして固定する固定具であって、
前記カバーを挟み前記カバーにネジ留めされるとともに前記ノズルを備えるコの字留具と、一端が前記コの字留具に回動可能に固定され他端が前記カバーの外側に係止されるＬ字留具と、前記Ｌ字留具の穴に挿通するとともに前記Ｌ字留具の底面に位置しかつ前記カバーの内側に係止される突起と、前記突起を前記Ｌ字留具に固定するネジと、からなることを特徴とするノズル固定具。
とした。
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
カバーを備える回転刃が、被処理対象物に接触することで飛散する塵を、前記回転刃に水を供給することで低減させる回転刃用防塵ユニットであって、
前記回転刃の一側面の全面に接触することなく外周部の一部に当接する穴を備えたスポンジと前記スポンジの穴に挿通するとともに水を吐出するノズルと前記カバーに連結し前記ノズルの位置決めをする金具から構成される装着部と、
前記ノズルに水を送液する送液部と、
からなることを特徴とする回転刃用防塵ユニット。
【請求項２】
前記ノズルが、前記吸水体に覆われる筒状の本体と、前記本体から分岐した筒状の分岐管と、前記本体に回転可能に取り付けたバルブと、前記バルブに固定され前記分岐管と本体との連通穴を前記バルブの回転に伴い開閉する片と、からなることを特徴とする請求項１に記載の回転刃用防塵ユニット。
【請求項３】
前記金具が、前記カバーに連結するＬ字部と、前記Ｌ字部に前記ノズルの分岐管を固定する連結部と、からなることを特徴とする請求項２に記載の回転刃用防塵ユニット。
【請求項４】
前記装着部が、前記カバーの下端部に連結され、前記金具に、前記回転刃の回転により飛散する水しぶきを当てるプロテクターを備えることを特徴とする請求項１〜請求項３のいずれか１項に記載の回転刃用防塵ユニット。
【請求項５】
穴が穿設されたカバーを備える回転刃が、被処理対象部に接触することで飛散する塵を、前記回転刃に水を供給することで低減させる回転刃用防塵ユニットであって、
前記回転刃の一側面の全面に接触することなく外周部の一部に当接する穴を備えたスポンジと、
前記スポンジを収納するケースと、
前記ケースとカバーを連結し前記ケースの位置決めをする金具と、
前記カバーの穴を挿通し前記ケースに接続するとともに前記スポンジの穴に先端部が位置するホースと、
前記ホースに水を送液する送液部と、
からなることを特徴とする回転刃用防塵ユニット。
【請求項６】
一端が前記金具に回動可能に固定され他端が前記カバーの外側に係止されるＬ字金具と、
前記Ｌ字金具の穴に挿通するとともに前記Ｌ字金具の底面に位置しかつ前記カバーの内側に係止される突起と、前記突起を前記Ｌ字金具に固定するネジと、からなることを特徴とするストッパを備えることを特徴とする請求項１〜請求項５のいずれか１項に記載の回転刃用防塵ユニット。
【請求項７】
前記送液部が、前記ノズルに接続するホースと前記ホースに水を送液するポンプからなり、
前記ポンプが浸る水を貯溜した容器と、前記容器の開口に係止され、前記回転刃を備えるハンディーグラインダの不使用時に載置する穴あき蓋と、を備えることを特徴とする請求項１〜請求項６のいずれか１項に記載の回転刃用防塵ユニット。
【請求項８】
前記ホースと、前記ハンディーグラインダのコードを結束帯で束ねたことを特徴とする請求項７に記載の回転刃用防塵ユニット。
【請求項９】
カバーを備える据え置き型の丸鋸の回転刃が被処理対象部に接触することで飛散する塵を、前記回転刃に水を供給することで低減させる回転刃用防塵ユニットであって、
前記回転刃の一側面の全面に接触することなく外周部の一部に当接する穴を備えたスポンジと、
前記スポンジの穴に挿通するとともに水を吐出するノズル、
前記カバーに連結し前記ノズルの位置決めをするコの字部を備える金具と、
前記ノズルに接続する水を送液する送液部と、
からなることを特徴とする回転刃用防塵ユニット。
【請求項１０】
前記金具と前記カバーとの連結が、磁石によることを特徴とする請求項１〜請求項４、請求項６〜請求項９のいずれか１項に記載の回転刃用防塵ユニット。
【請求項１１】
前記金具にネジを備え、前記ネジを締め付けて、前記装着部を強固に前記カバーに固定することを特徴とする請求項１〜請求項４、請求項６〜請求項１０のいずれか１項に記載の回転刃用防塵ユニット。